(57)【要約】【課題】周囲への球の散乱防止の容易化を図る。【解決手段】パチンコ機が遊技機設置構造体１に設置された状態において、遊技者が左右抑制体１０；１１を手で幕板飾り９から引き出すことによって、左右抑制体１０；１１が仮想線で示すように幕板飾り９の左右両側から棚２の上面に接触して棚２の上に突出し、棚２の上にこぼれた球が棚２の上を転がっても、左右抑制体１０；１１が隣の方への球の流れを防止し、球が隣の遊技者まで転がることがなく、遊技者が棚２の上に突出した左右抑制体１０；１１を手で幕板飾り９の方に移動することによって、左右抑制体１０；１１が実線で示すように棚２から幕板飾り９の左右両側に収納され、左右抑制体１０；１１が邪魔にならない。【選択図】図１
2005177367.tif 000002
【特許請求の範囲】
【請求項１】
遊技機設置構造体に取り付けられる遊技機枠の前面下部の幕板飾りには、遊技機設置構造体の棚を伝わって隣の方への球の流れを防止する抑制体が、幕板飾りへの収納姿勢と遊技機設置構造体の棚への突出姿勢とに引き出し可能に設けられたことを特徴とする遊技機枠。
【請求項２】
抑制体が幕板飾りの左右両側に設けられたことを特徴とする請求項１記載の遊技機枠。
【請求項３】
抑制体の下部が幕板飾りの側面に回転可能に取り付けられたことを特徴とする請求項１記載の遊技機枠。
【請求項４】
抑制体が幕板飾りの前面に配置される摘みを備えたことを特徴とする請求項１記載の遊技機枠。
【発明の詳細な説明】
【技術分野】
【０００１】
本発明は、周囲への球の散乱防止容易なパチンコ機の遊技機枠に関する。
【背景技術】
【０００２】
ドル箱と呼ばれる球箱は、パチンコ機の遊技媒体としての球をパチンコ機の皿構造体から抜いて入れる容器である。この球箱は、球がこぼれないように、上方に開口した収容部が、底部から上方に行くに従って徐々に外側に広くなっている。しかしながら、遊技者が遊技店島と呼ばれる遊技機設置構造体に設置されたパチンコ機で遊技に興じている最中において、遊技機設置構造体の棚にドル箱と呼ばれる球箱を置き、パチンコ機の皿構造体から球を球箱に入れ、球箱が満杯になるに伴い、球が棚にこぼれ、棚にこぼれた球が棚の上を転がって隣の遊技者の方にいってしまい、当該球を遊技者がとりづらくなることがある。
【特許文献１】特開平８−１０４３５公報
【発明の開示】
【発明が解決しようとする課題】
【０００３】
発明が解決しようとする問題点は、球が遊技機設置構造体の棚の上を転がって隣の遊技者の方に流れるという点である。
【課題を解決するための手段】
【０００４】
本発明の遊技機枠は、遊技機設置構造体に取り付けられる遊技機枠の前面下部の幕板飾りには、遊技機設置構造体の棚を伝わって隣の方への球の流れを防止する抑制体が、幕板飾りへの収納姿勢と遊技機設置構造体の棚への突出姿勢とに引き出し可能に設けられたことを最も主要な特徴とする。抑制体が幕板飾りの左右両側に設けられたり、抑制体の下部が幕板飾りの側面に回転可能に取り付けられたり、抑制体が幕板飾りの前面に配置される摘みを備えたりすることも特徴とする。
【発明の効果】
【０００５】
本発明の遊技機枠は、遊技者が抑制体を手前に引き出して遊技機設置構造体の棚の上に突出することによって、棚にこぼれた球が棚の上を転がっても、抑制体が棚を伝わって隣の方への球の流れを防止するので、球が隣の遊技者まで転がることがないという利点がある。抑制体が幕板飾りの左右両側に設けられれば、遊技者が自分で遊技を行っている遊技機枠における左右両側の抑制体の両方を棚の上に引き出すことによって、遊技者が隣における遊技機枠の左右抑制体のいずれかを使用することなく、棚にこぼれた球が両隣の遊技者まで転がることがないという利点がある。抑制体の下部が幕板飾りの側面に回転可能に取り付けられれば、抑制体を幕板飾りに前後方向に直線的に引き出す場合に比べ、構造が簡単であるという利点がある。抑制体が幕板飾りの前面に配置される摘みを備えれば、幕板飾りに収納された抑制体を引き出す場合、摘みを手で引き出すことによって、抑制体を幕板飾りから棚の上に突出する操作が容易であるという利点がある。
【発明を実施するための最良の形態】
【０００６】
図１−図４は、一実施形態である。図１は、遊技機設置構造体１に設置されたパチンコ機の外観を示す。図２は、遊技機枠３の幕板飾り９の周りを分解して前側から示す。図３は、幕板飾り９と幕板２１との取付構造の断面を示す。図４は、右抑制体１１の正面を示す。
【０００７】
図１を参照し、遊技機設置構造体１に設置されたパチンコ機の構造について説明する。パチンコ機の遊技機枠３は、固定枠４と可動枠５と飾り枠６と皿構造体７および発射操作機構８を備える。固定枠４は、外枠と呼ばれる場合があり、四角な額縁状であって、下部前面に幕板飾り９を備える。幕板飾り９の左右両側には、左右抑制体１０；１１が、幕板飾り９への実線で示す収納姿勢と、遊技機設置構造体１の棚２への仮想線で示す突出姿勢とに、引き出し可能に設けられる。可動枠５は、外枠と呼ばれる場合があり、四角な額縁状であって、固定枠４に、左側の上ヒンジ１２と下ヒンジ１３とを回転中心として、前側に片開き可能に取り付けられ、内部に遊技主体としての図外の遊技盤を格納する。遊技盤は、前面に、ガイドレールで囲まれた内側の遊技領域に、入賞部品、アウト口、サイドランプ、多数の遊技釘などの遊技部品を備える。飾り枠６は、遊技盤の球の飛び交う遊技領域を飾り枠６の前側から視認するための窓１４を備える。窓１４は、ガラスまたは合成樹脂からなる光透過性の有る無色な前面パネル１５で塞がれる。前面パネル１５は、飾り枠６の裏面に取り付けられる。皿構造体７は、遊技を行うための球を入れる部品であって、可動枠５に左側の図外のヒンジを回転中心として、前側に片開き可能に取り付けられる。皿構造体７は、前面は、球抜操作体１６を備える。遊技者が球箱１９を皿構造体７の真下に位置させて棚２に置いた後に球抜操作体１６を操作すると、皿構造体７の内部に組み込まれた蓋が皿構造体７の底部における図外の排出口を開き、球が皿構造体７の排出口から球箱１９に排出される。発射操作機構８は、皿構造体７に設けられる。そして、球が皿構造体７に入っている状態において、遊技者が発射操作機構８を操作すると、可動枠５の内部における図外の発射機構が皿機構から供給された球を１個ずつ遊技盤の遊技領域に向けて発射する。遊技領域に発射された球が入賞部品に入賞すると、賞球としての球が遊技機枠３の裏側から皿構造体７に払い出される。符号２０は、賞球としての球を貯めるタンクである。
【０００８】
図２を参照し、固定枠４および抑制体の構造について説明する。固定枠４は、前面下部に、幕板２１を備える。幕板２１には、複数の取付孔２２が、前後方向に貫通する。幕板飾り９は、横長な帯板状の前壁２３の四辺から上壁２４と下壁２５および左右側壁２６；２７を後側に突出し、上壁２４の後縁から上方に防護壁２８を突出し、上壁２４の裏面から複数の取付足２９を後側に突出した形態である。取付足２９における前壁２３の裏面からの長さは、幕板２１の前後方向の厚さＴよりも短い。幕板飾り９における左右側壁２６；２７の前部には、左右抑制体収納部３１；３２が、設けられる。左抑制体収納部３１は、左側壁２６の前部の上端と下端とにわたる全域において、左側壁２６の外側面から内部に窪む縦長な形状である。左抑制体収納部３１の上部には、ストッパー受部３３が、左抑制体収納部３１の外側面から内部に窪む形状に設けられる。左抑制体収納部３１の下部には、抑制体取付孔３４が、左抑制体収納部３１の外側面から内部に窪むか、または、左抑制体収納部３１の外側面と左側壁２６の内側面とに貫通する形状に設けられる。
【０００９】
右抑制体収納部３２は、右側壁２７の前部の上端と下端とにわたる全域において、右側壁２７の外側面から内部に窪む縦長な形状である。右抑制体収納部３２の上部には、ストッパー受部３５が、右抑制体収納部３２の外側面から内部に窪む形状に設けられる。右抑制体収納部３２の下部には、抑制体取付孔３６が、右抑制体収納部３２の外側面から内部に窪むか、または、右抑制体収納部３２の外側面と右側壁２７の内側面とに貫通する形状に設けられる。幕板飾り９における前壁２３の左右側部には、左右摘み収納部３８；３９が、左右抑制体収納部３１；３２の上部から前壁２３に個別に連接されて設けられる。左右摘み収納部３８；３９は、前壁２３の前面から内部に窪む形状である。
【００１０】
左抑制体１０および右抑制体１１は、左右対称な形状である。左抑制体１０は、左抑制体収納部３１に収まる帯板状の抑制本体４１の上部前縁から内側に折り曲げられた摘み４２を備える。抑制本体４１の上下寸法は、幕板飾り９の左側壁２６の上下幅よりも短い。抑制本体４１の上部には、ストッパー４３が、抑制本体４１の内側面に突出する（図４参照）。抑制本体４１の下部には、軸受孔４４が、抑制本体４１の外側面と内側面とに貫通する形状に形成される。右抑制体１１は、右抑制体収納部３２に収まる帯板状の抑制本体４６の上部前縁から内側に折り曲げられた摘み４７を備える。抑制本体４６の上下寸法は、幕板飾り９の右側壁２７の上下幅よりも短い。抑制本体４６の上部には、ストッパー４８が、抑制本体４６の内側面に突出する（図４参照）。抑制本体４６の下部には、軸受孔４９が、抑制本体４６の外側面と内側面とに貫通する形状に形成される。
【００１１】
そして、左抑制体１０は、次のように取り付けられる。左抑制体１０の摘み４２が幕板飾り９の左摘み収納部３８に収納され、左抑制体１０の抑制本体４１が左抑制体収納部３１に収納され、ストッパー４３が幕板飾り９のストッパー受部３３に収納され、タッピングスクリューのような止ねじ５１が、軸受孔４４から左側壁２６の抑制体取付孔３４に締結されることによって、左抑制体１０が幕板飾り９の左側壁２６の外側面に回転可能に取り付けられる。上記のように、左抑制体１０の摘み４２が左摘み収納部３８に収納され、抑制本体４１が左抑制体収納部３１に収納され、ストッパー４３がストッパー受部３３に収納された形態が、左抑制体１０の幕板飾り９への収納姿勢である。
【００１２】
右抑制体１１は、次のように取り付けられる。右抑制体１１の摘み４７が幕板飾り９の右摘み収納部３２に収納され、右抑制体１１の抑制本体４６が右抑制体収納部３２に収納され、ストッパー４８が幕板飾り９のストッパー受部３５に収納され、タッピングスクリューのような止ねじ５２が、軸受孔４９から右側壁２７の抑制体取付孔３６に締結されることによって、右抑制体１１が幕板飾り９の右側壁２７の外側面に回転可能に取り付けられる。上記のように、右抑制体１１の摘み４７が右摘み収納部３２に収納され、抑制本体４６が右抑制体収納部３２に収納され、ストッパー４８がストッパー受部３５に収納された形態が、右抑制体１１の幕板飾り９への収納姿勢である。摘み４２；４７が左右摘み収納部３８；３９に収納されることによって、摘み４２；４７が幕板飾り９の前面に配置される。
【００１３】
図３を参照し、幕板飾り９と幕板２１との取付構造について説明する。幕板飾り９の取付足２９が幕板２１の前側から取付孔２２に挿入され、タッピングスクリューのような止ねじ５３が幕板２１の裏側から取付足２９に締結されることによって、幕板飾り９が幕板２１の前面と上下面および左右側面を被覆して幕板２１に取り付けられる。つまり、止ねじ５３が取り外されることによって、幕板飾り９が幕板２１から前側に取り外せる。幕板飾り９を幕板２１に前側から被せ、止ねじ５３を取り付けることによって、幕板飾り９が幕板２１に取り付けられる。したがって、幕板飾り９は、幕板２１に前側から着脱可能である。
【００１４】
実施形態によれば、左右抑制体１０；１１が幕板飾り９に設けられているので、図１に示すように、パチンコ機が遊技機設置構造体１に設置された状態において、遊技者が左右抑制体１０；１１を手で幕板飾り９から引き出すことによって、左右抑制体１０；１１が仮想線で示すように幕板飾り９の左右両側から棚２の上面に接触して棚２の上に突出する。よって、棚２の上にこぼれた球が棚２の上を転がっても、左右抑制体１０；１１が隣の方への球の流れを防止し、球が隣の遊技者まで転がることがないという利点がある。遊技者が棚２の上に突出した左右抑制体１０；１１を手で幕板飾り９の方に移動することによって、左右抑制体１０；１１が実線で示すように棚２から幕板飾り９の左右両側に収納される。よって、左右抑制体１０；１１を使用しない場合、左右抑制体１０；１１を幕板飾り９の左右両側に収納すれば、左右抑制体１０；１１が邪魔にならないという利点がある。図３に示す止ねじ５３を取り外すことで、幕板飾り９が幕板２１から前側に引き出せる構造であるので、図１に示すように、パチンコ機が遊技機設置構造体１に設置された状態において、作業者が幕板飾り９を幕板２１から前側に引き出して左右抑制体１０；１１を交換することができるという利点がある。
【００１５】
左右抑制体１０；１１が幕板飾り９の左右両側に設けられているので、遊技者は自分で遊技を行っている遊技機枠３の左右抑制体１０；１１の両方を棚２の上に引き出すことによって、隣における遊技機枠３の左右抑制体１０；１１のいずれかを使用することなく、棚２にこぼれた球が両隣の遊技者まで転がることがないという利点がある。左右抑制体１０；１１の下部が幕板飾り９の左右側壁２６；２７の外側面に回転可能に取り付けられているので、左右抑制体１０；１１を幕板飾り９に前後方向に直線的に引き出すように設けた場合に比べ、構造が簡単であるという利点がある。左右抑制体１０；１１が幕板飾り９の前面に配置される摘み４２；４７を備えたので、幕板飾り９に収納された左右抑制体１０；１１を引き出す場合、摘み４２；４７を手で引き出すことによって、左右抑制体１０；１１を図１に仮想線で示すように棚２の上に突出する操作が容易であるという利点がある。幕板飾り９が摘み４２；４７を収納する左右摘み収納部３８；３９を幕板飾り９の前面から内部に窪む形状に備えたので、左右抑制体１０；１１を図１に実線で示すように幕板飾り９に収納した場合、摘み４２；４７が邪魔にならないという利点がある。左右抑制体収納部３１；３２が幕板飾り９の左右側壁２６；２７の外側面から内部に窪む形態であるので、左右抑制体１０；１１が幕板飾り９よりも外側に突出しないように設けることができ、左右抑制体１０；１１が幕板飾り９よりも外側に突出しなければ、遊技機枠３の左右方向の横幅が大きくなることがなく、遊技機枠３が遊技機設置構造体１に従前と同様に取り付けられるという利点がある。
【産業上の利用可能性】
【００１６】
左右抑制体１０；１１を幕板飾り９に前後方向に直線的に引き出すように設けてもよい。左右抑制体１０；１１のいずれか一方だけでも適用できる。左右抑制体１０；１１のいずれか一方だけ設ける形態は、左右抑制体１０；１１を抑制体と読み替えることで容易に理解できるであろう。左右抑制体１０；１１は合成樹脂により形成してもよいが、金属により形成すれば、厚さを薄くしても剛性があるという利点がある。
【図面の簡単な説明】
【００１７】
【図１】遊技機設置構造体に設置されたパチンコ機を示す斜視図（一実施形態）。
【図２】遊技機枠の幕板飾りの周りを示す分解斜視図（同実施形態）。
【図３】幕板飾りと幕板との取付構造を示す縦断面図（同実施形態）。
【図４】抑制体を示す正面図（同実施形態）。
【符号の説明】
【００１８】
１  遊技機設置構造体
２  棚
３  遊技機枠
９  幕板飾り
１０  左抑制体
１１  右抑制体
４２  摘み
４７  摘み
【図１】
2005177367.tif 000003
【図２】
2005177367.tif 000004
【図３】
2005177367.tif 000005
【図４】
2005177367.tif 000006